(57)【要約】【課題】ＩＰ電話網において、緊急呼接続を可能し、かつ、通信事業者の設備運用コストを低減する。【解決手段】ＭＧ１１は、ＩＰ形式の呼接続要求信号をＭＧＣ１２へ送信し、ＭＧＣ１２は、呼接続要求信号からダイヤル番号を抽出し、抽出したダイヤル番号が緊急通報呼であるか判別し、緊急呼の場合には、加入者電話番号及びダイヤル番号の情報を含む接続先解決要求信号をデータベース装置１３に送信し、データベース装置１３から緊急呼の接続先番号を表す接続先裏番号の情報を含む接続先解決要求応答信号を受信して、接続先解決要求応答信号から接続先裏番号を抽出し、接続先裏番号に従って接続処理を実施し、緊急呼でない場合には、前記抽出したダイヤル番号に従って接続処理を実施する。【選択図】図１
2010272961.tif 000002
【特許請求の範囲】
【請求項１】
アクセス回線を終端するメディアゲートウェイと、端末の呼制御を行う呼制御装置と、端末の電話番号及び収容位置に関するデータを記憶するデータベース装置とを備え、ＩＰ電話網内で緊急呼接続サービスを行う通信システムであって、
前記メディアゲートウェイは、端末からの発呼に応じて、ダイヤル番号及び加入者電話番号の情報を含むＩＰ形式の呼接続要求信号を前記呼制御装置へ送信する手段を有し、
前記呼制御装置は、前記受信した呼接続要求信号からダイヤル番号を抽出する手段と、前記抽出したダイヤル番号が緊急通報呼であるか否かの判別を行う緊急呼判定手段と、前記緊急呼判定手段で緊急通報呼であると判断した場合には、前記受信した加入者電話番号及びダイヤル番号の情報を含む接続先解決要求信号をデータベース装置に送信し、該データベース装置から緊急通報呼の接続先番号を表す接続先裏番号の情報を含む接続先解決要求応答信号を受信して、前記接続先解決要求応答信号から接続先裏番号を抽出し、該接続先裏番号に従って接続処理を実施する手段と、前記緊急呼判定手段で緊急通報呼でないと判断した場合には、前記抽出したダイヤル番号に従って接続処理を実施する手段とを有することを特徴とする通信システム。
【請求項２】
前記メディアゲートウェイは、
収容位置番号と加入者電話番号を対応付けたメディアゲートウェイテーブルを記憶する手段と、
端末から呼接続要求信号を受信し、該呼接続要求信号からダイヤル番号及び収容位置番号を抽出する手段と、
該抽出した収容位置番号に対応する加入者電話番号を、前記メディアゲートウェイテーブルから取得する手段と、
該抽出したダイヤル番号及び該取得した加入者電話番号の情報を含む信号を、前記ＩＰ形式の呼接続要求信号として前記呼制御装置に送信する手段と、
を有することを特徴とする、請求項１に記載の通信システム。
【請求項３】
前記データベース装置は、
加入者電話番号、メディアゲートウェイのＩＤ、収容位置番号、エリアコード、ダイヤル番号及び接続先裏番号を対応付けたデータベーステーブルを記憶する手段と、
前記受信した接続先解決要求信号から加入者電話番号及びダイヤル番号を抽出する手段と、
該抽出した加入者電話番号及びダイヤル番号に対応する接続先裏番号を、前記データベーステーブルから取得する手段と、
該接続先裏番号を含む信号を、前記接続先解決要求応答信号として前記メディアゲートウェイに送信する手段と、
を有することを特徴とする、請求項１又は２に記載の通信システム。
【請求項４】
アクセス回線を終端するメディアゲートウェイと、電話番号及び端末の収容位置に関するデータを記憶するデータベース装置とにＩＰ電話網を介して接続された、緊急呼接続サービスを行う呼制御装置であって、
前記メディアゲートウェイからダイヤル番号及び加入者電話番号の情報を含むＩＰ形式の呼接続要求信号を受信し、該呼接続要求信号からダイヤル番号を抽出する手段と、
前記抽出したダイヤル番号が緊急通報呼であるか否かの判別を行う緊急呼判定手段と、
前記緊急呼判定手段で緊急通報呼であると判断した場合には、前記受信した加入者電話番号及びダイヤル番号の情報を含む接続先解決要求信号をデータベース装置に送信し、該データベース装置から緊急通報呼の接続先番号を表す接続先裏番号の情報を含む接続先解決要求応答信号を受信して、前記接続先解決要求応答信号から接続先裏番号を抽出し、該接続先裏番号に従って接続処理を実施する手段と、
前記緊急呼判定手段で緊急通報呼でないと判断した場合には、前記抽出したダイヤル番号に従って接続処理を実施する手段と、
を有することを特徴とする呼制御装置。
【請求項５】
アクセス回線を終端するメディアゲートウェイと、呼の制御を行う呼制御装置と、電話番号及び端末の収容位置に関するデータを記憶するデータベース装置とを備える通信システムにて、ＩＰ電話網内で緊急呼接続サービスを行う通信方法であって、
（ａ）前記メディアゲートウェイによって、端末からの発呼に応じて、ダイヤル番号及び加入者電話番号の情報を含むＩＰ形式の呼接続要求信号を前記呼制御装置へ送信するステップと、
（ｂ）前記呼制御装置によって、前記受信した呼接続要求信号からダイヤル番号を抽出するステップと、
（ｃ）前記呼制御装置によって、該抽出したダイヤル番号が緊急通報呼であるか否かの判別を行うステップと、
（ｄ）前記呼制御装置によって、前記ステップ（ｃ）で緊急通報呼であると判断した場合には、前記受信した加入者電話番号及びダイヤル番号の情報を含む接続先解決要求信号をデータベース装置に送信し、該データベース装置から、緊急通報呼の接続先番号を表す接続先裏番号の情報を含む接続先解決要求応答信号を受信して、前記接続先解決要求応答信号から接続先裏番号を抽出し、該接続先裏番号に従って接続処理を実施するステップと、
（ｅ）前記呼制御装置によって、前記ステップ（ｃ）で緊急通報呼でないと判断した場合には、前記抽出したダイヤル番号に従って接続処理を実施するステップと、
を含むことを特徴とする通信方法。
【請求項６】
前記ステップ（ａ）は、
（ｆ）前記メディアゲートウェイによって、端末から呼接続要求信号を受信し、該呼接続要求信号からダイヤル番号及び収容位置番号を抽出するステップと、
（ｇ）前記メディアゲートウェイによって、該抽出した収容位置番号に対応する加入者電話番号を、収容位置番号と加入者電話番号を対応付けたメディアゲートウェイテーブルから取得するステップと、
（ｈ）前記メディアゲートウェイによって、該抽出したダイヤル番号及び該取得した加入者電話番号の情報を含む信号を、前記ＩＰ形式の呼接続要求信号として前記呼制御装置に送信するステップと、
を含むことを特徴とする、請求項５に記載の通信方法。
【請求項７】
前記ステップ（ｄ）は、
（ｉ）前記データベース装置によって、前記受信した接続先解決要求信号から加入者電話番号及びダイヤル番号を抽出するステップと、
（ｊ）前記データベース装置によって、前記抽出した加入者電話番号及びダイヤル番号に対応する接続先裏番号情報を、加入者電話番号、メディアゲートウェイのＩＤ、収容位置番号、エリアコード、ダイヤル番号及び接続先裏番号を対応付けたデータベーステーブルから取得するステップと、
（ｋ）前記データベース装置によって、該接続先裏番号を含む信号を、前記接続先解決要求応答信号として前記メディアゲートウェイに送信するステップと、
を含むことを特徴とする、請求項５又は６に記載の通信方法。
【請求項８】
アクセス回線を終端するメディアゲートウェイと、電話番号及び端末の収容位置に関するデータを記憶するデータベース装置とにＩＰ電話網を介して接続された呼制御装置にて、緊急呼接続サービスを行う呼制御方法であって、
（ａ）前記メディアゲートウェイからダイヤル番号及び加入者電話番号の情報を含むＩＰ形式の呼接続要求信号を受信し、該呼接続要求信号からダイヤル番号を抽出するステップと、
（ｂ）該抽出したダイヤル番号が緊急通報呼であるか否かの判別を行うステップと、
（ｃ）前記ステップ（ｂ）で緊急通報呼であると判断した場合には、前記受信した加入者電話番号及びダイヤル番号の情報を含む接続先解決要求信号をデータベース装置に送信し、該データベース装置から、緊急通報呼の接続先番号を表す接続先裏番号の情報を含む接続先解決要求応答信号を受信して、前記接続先解決要求応答信号から接続先裏番号を抽出し、該接続先裏番号に従って接続処理を実施するステップと、
（ｄ）前記ステップ（ｂ）で緊急通報呼ではないと判断した場合には、前記抽出したダイヤル番号に従って接続処理を実施するステップと、
を含むことを特徴とする呼制御方法。
【請求項９】
アクセス回線を終端するメディアゲートウェイと、電話番号及び端末の収容位置に関するデータを記憶するデータベース装置とにＩＰ電話網を介して接続された、緊急呼接続サービスを行う呼制御装置として機能するコンピュータに、
（ａ）前記メディアゲートウェイからダイヤル番号及び加入者電話番号の情報を含むＩＰ形式の呼接続要求信号を受信し、該呼接続要求信号からダイヤル番号を抽出するステップと、
（ｂ）前記抽出したダイヤル番号が緊急通報呼であるか否かの判別を行うステップと、
（ｃ）前記ステップ（ｂ）で緊急通報呼であると判断した場合には、前記受信した加入者電話番号及びダイヤル番号の情報を含む接続先解決要求信号をデータベース装置に送信し、該データベース装置から、緊急通報呼の接続先番号を表す接続先裏番号の情報を含む接続先解決要求応答信号を受信して、前記接続先解決要求応答信号から接続先裏番号を抽出し、該接続先裏番号に従って接続処理を実施するステップと、
（ｄ）前記ステップ（ｂ）で緊急通報呼ではないと判断した場合には、前記抽出したダイヤル番号に従って接続処理を実施するステップと、
を実行させるためのプログラム。
【発明の詳細な説明】
【技術分野】
【０００１】
本発明は、ＩＰ（Internet Protocol）電話網にて緊急呼接続サービスを行う通信システム、呼制御装置、通信方法、呼制御方法及び呼制御プログラムに関する。
【背景技術】
【０００２】
従来の電話サービスは、同期転送モジュール（ＳＴＭ；Synchronous Transfer Mode）回線交換技術にて提供されてきたが、電話サービス事業者・ベンダ等においては、設備コストを低減でき低価格でのサービス提供が期待できるＩＰベースでの電話サービス提供の研究・開発が進められている。具体的には、多数の既存のアクセス回線（いわゆる電話線）を終端するメディアゲートウェイ（ＭＧ；Media Gateway）と、呼制御を行う呼制御サーバ（ＭＧＣ；MG Controller）から構成されるＩＰ電話網である。
【０００３】
上記ＩＰ電話網におけるＭＧＣとＭＧの関係は、ＭＧＣの呼処理容量とＭＧ全体での呼処理量で決定される。収容ユーザの呼量変化も加味する必要があるが、本アーキテクチャでは１対Ｎ又はＮ対１も可能であり、かつその変更も比較的軽微に実現可能であることから、電話サービス事業者の経済的な設備運用が期待できる。
【０００４】
一方、電話サービスにおける緊急呼（１１０，１１９）接続機能は、電話サービスの基盤機能の一つであり、発信者位置に合致した接続先（所轄の警察署、消防署）への接続を実現している。この緊急呼接続機能は、既存のＳＴＭ回線交換電話網からＩＰ電話網にシフトしたとしても、継続的な提供が必須である。また、緊急呼接続は優先度が高く、緊急ラインの接続を維持する必要があるため、緊急通報呼以外の場合はＩＰ電話網に接続し、緊急通報呼の場合には既存の電話網に接続する技法が知られている（例えば、特許文献１参照）。
【０００５】
図８は、既存の電話網に用いられる従来のＳＴＭ回線交換機７０の構成図である。ＳＴＭ回線交換機は、データベース７１と、呼処理制御部７２と、回線交換機能部７３と、加入者回線機能部７４と、中継回線終端部７５とを備える。呼処理制御部７２は回線交換機能部７３を制御する。回線交換機能部７３は、ＳＴＭ回線を介して、加入者回線機能部７４及び中継回線終端部７５と接続される。
【０００６】
データベース７１は、緊急呼接続サービスを提供するために、加入者の収容位置番号とエリアコード（ＡＣ）を対応付けたテーブル７１１と、エリアコード・ダイヤル番号（１１０，１１９）と接続先裏番号情報を対応付けたテーブル７１２とを有する。ここで、接続先裏番号とは、１１０番や１１９番をした場合に回線接続される、最寄りの警察や消防署の実際の電話番号（例えば、０３−４４４４−０１１０や、０３−４４４４−０１１９）のことをいう。
【０００７】
ＳＴＭ回線交換機７０は、呼処理制御部７２と回線交換機能部７３とが一体となったシステム、すなわち、呼制御と加入者アクセス回線の終端とを同一ノードで実現するシステムである。このため、データベース７１は、加入者回線機能部７４が収容するエリア分（図８の例では、ＡＣ０００１〜ＡＣ０００３）のみ、自ノードに閉じて管理していた。
【先行技術文献】
【特許文献】
【０００８】
【特許文献１】特開２０００−１３８７５２号公報
【発明の概要】
【発明が解決しようとする課題】
【０００９】
しかし、当該交換機での呼処理能力がシステム許容値を上回りそうになった場合、図１０に示すように、加入者回線機能部７４が収容できる加入者数に余力があったとしても、同一エリアをカバーするＳＴＭ回線交換機７０を新設しなくてはならないという課題があった。
【００１０】
また、ＳＴＭ回線交換機７０にサービスの中断につながる故障が発生した場合、当該故障を回復できるまで、加入者回線機能部７４が収容する加入者に対してサービスが中断してしまうという課題があった。
【００１１】
本発明の目的は、上記課題を解決するため、ＩＰ電話網において、緊急呼接続を可能し、かつ、通信事業者の設備運用コストを低減する、緊急呼接続サービスを行う通信システム、呼制御装置、通信方法、呼制御方法及び呼制御プログラムを提供することにある。
【課題を解決するための手段】
【００１２】
上述の課題を解決するために、本発明に係る通信システムは、アクセス回線を終端するメディアゲートウェイと、端末の呼制御を行う呼制御装置と、端末の電話番号及び収容位置に関するデータを記憶するデータベース装置とを備え、ＩＰ電話網内で緊急呼接続サービスを行う通信システムであって、前記メディアゲートウェイは、端末からの発呼に応じて、ダイヤル番号及び加入者電話番号の情報を含むＩＰ形式の呼接続要求信号を前記呼制御装置へ送信する手段を有し、前記呼制御装置は、前記受信した呼接続要求信号からダイヤル番号を抽出する手段と、前記抽出したダイヤル番号が緊急通報呼であるか否かの判別を行う緊急呼判定手段と、前記緊急呼判定手段で緊急通報呼であると判断した場合には、前記受信した加入者電話番号及びダイヤル番号の情報を含む接続先解決要求信号をデータベース装置に送信し、該データベース装置から緊急通報呼の接続先番号を表す接続先裏番号の情報を含む接続先解決要求応答信号を受信して、前記接続先解決要求応答信号から接続先裏番号を抽出し、該接続先裏番号に従って接続処理を実施する手段と、前記緊急呼判定手段で緊急通報呼でないと判断した場合には、前記抽出したダイヤル番号に従って接続処理を実施する手段とを有することを特徴とする。
【００１３】
また、本発明に係る通信システムにおいて、前記メディアゲートウェイは、収容位置番号と加入者電話番号を対応付けたメディアゲートウェイテーブルを記憶する手段と、端末から呼接続要求信号を受信し、該呼接続要求信号からダイヤル番号及び収容位置番号を抽出する手段と、該抽出した収容位置番号に対応する加入者電話番号を、前記メディアゲートウェイテーブルから取得する手段と、該抽出したダイヤル番号及び該取得した加入者電話番号の情報を含む信号を、前記ＩＰ形式の呼接続要求信号として前記呼制御装置に送信する手段とを有することを特徴とする。
【００１４】
また、本発明に係る通信システムにおいて、前記データベース装置は、加入者電話番号、メディアゲートウェイのＩＤ、収容位置番号、エリアコード、ダイヤル番号及び接続先裏番号を対応付けたデータベーステーブルを記憶する手段と、前記受信した接続先解決要求信号から加入者電話番号及びダイヤル番号を抽出する手段と、該抽出した加入者電話番号及びダイヤル番号に対応する接続先裏番号を、前記データベーステーブルから取得する手段と、該接続先裏番号を含む信号を、前記接続先解決要求応答信号として前記メディアゲートウェイに送信する手段とを有することを特徴とする。
【００１５】
さらに、上述の課題を解決するために、本発明に係る呼制御装置は、アクセス回線を終端するメディアゲートウェイと、電話番号及び端末の収容位置に関するデータを記憶するデータベース装置とにＩＰ電話網を介して接続された、緊急呼接続サービスを行う呼制御装置であって、前記メディアゲートウェイからダイヤル番号及び加入者電話番号の情報を含むＩＰ形式の呼接続要求信号を受信し、該呼接続要求信号からダイヤル番号を抽出する手段と、前記抽出したダイヤル番号が緊急通報呼であるか否かの判別を行う緊急呼判定手段と、前記緊急呼判定手段で緊急通報呼であると判断した場合には、前記受信した加入者電話番号及びダイヤル番号の情報を含む接続先解決要求信号をデータベース装置に送信し、該データベース装置から緊急通報呼の接続先番号を表す接続先裏番号の情報を含む接続先解決要求応答信号を受信して、前記接続先解決要求応答信号から接続先裏番号を抽出し、該接続先裏番号に従って接続処理を実施する手段と、前記緊急呼判定手段で緊急通報呼でないと判断した場合には、前記抽出したダイヤル番号に従って接続処理を実施する手段とを有することを特徴とする。
【００１６】
さらに、上述の課題を解決するために、本発明に係る通信方法は、アクセス回線を終端するメディアゲートウェイと、呼の制御を行う呼制御装置と、電話番号及び端末の収容位置に関するデータを記憶するデータベース装置とを備える通信システムにて、ＩＰ電話網内で緊急呼接続サービスを行う通信方法であって、（ａ）前記メディアゲートウェイによって、端末からの発呼に応じて、ダイヤル番号及び加入者電話番号の情報を含むＩＰ形式の呼接続要求信号を前記呼制御装置へ送信するステップと、（ｂ）前記呼制御装置によって、前記受信した呼接続要求信号からダイヤル番号を抽出するステップと、（ｃ）前記呼制御装置によって、該抽出したダイヤル番号が緊急通報呼であるか否かの判別を行うステップと、（ｄ）前記呼制御装置によって、前記ステップ（ｃ）で緊急通報呼であると判断した場合には、前記受信した加入者電話番号及びダイヤル番号の情報を含む接続先解決要求信号をデータベース装置に送信し、該データベース装置から、緊急通報呼の接続先番号を表す接続先裏番号の情報を含む接続先解決要求応答信号を受信して、前記接続先解決要求応答信号から接続先裏番号を抽出し、該接続先裏番号に従って接続処理を実施するステップと、（ｅ）前記ステップ（ｃ）で緊急通報呼でないと判断した場合には、前記抽出したダイヤル番号に従って接続処理を実施するステップとを含むことを特徴とする。
【００１７】
また、本発明に係る通信方法において、前記ステップ（ａ）は、（ｆ）前記メディアゲートウェイによって、端末から呼接続要求信号を受信し、該呼接続要求信号からダイヤル番号及び収容位置番号を抽出するステップと、（ｇ）前記メディアゲートウェイによって、該抽出した収容位置番号に対応する加入者電話番号を、収容位置番号と加入者電話番号を対応付けたメディアゲートウェイテーブルから取得するステップと、（ｈ）該抽出したダイヤル番号及び該取得した加入者電話番号の情報を含む信号を、前記ＩＰ形式の呼接続要求信号として前記呼制御装置に送信するステップとを含むことを特徴とする。
【００１８】
また、本発明に係る通信方法において、前記ステップ（ｄ）は、（ｉ）前記データベース装置によって、前記受信した接続先解決要求信号から加入者電話番号及びダイヤル番号を抽出するステップと、（ｊ）前記データベース装置によって、前記抽出した加入者電話番号及びダイヤル番号に対応する接続先裏番号情報を、加入者電話番号、メディアゲートウェイのＩＤ、収容位置番号、エリアコード、ダイヤル番号及び接続先裏番号を対応付けたデータベーステーブルから取得するステップと、（ｋ）該接続先裏番号を含む信号を、前記接続先解決要求応答信号として前記メディアゲートウェイに送信するステップとを含むことを特徴とする。
【００１９】
さらに、上述の課題を解決するために、本発明に係る呼制御方法は、アクセス回線を終端するメディアゲートウェイと、電話番号及び端末の収容位置に関するデータを記憶するデータベース装置とにＩＰ電話網を介して接続された呼制御装置にて、緊急呼接続サービスを行う呼制御方法であって、（ａ）前記メディアゲートウェイからダイヤル番号及び加入者電話番号の情報を含むＩＰ形式の呼接続要求信号を受信し、該呼接続要求信号からダイヤル番号を抽出するステップと、（ｂ）該抽出したダイヤル番号が緊急通報呼であるか否かの判別を行うステップと、（ｃ）前記ステップ（ｂ）で緊急通報呼であると判断した場合には、前記受信した加入者電話番号及びダイヤル番号の情報を含む接続先解決要求信号をデータベース装置に送信し、該データベース装置から、緊急通報呼の接続先番号を表す接続先裏番号の情報を含む接続先解決要求応答信号を受信して、前記接続先解決要求応答信号から接続先裏番号を抽出し、該接続先裏番号に従って接続処理を実施するステップと、（ｄ）前記ステップ（ｂ）で緊急通報呼ではないと判断した場合には、前記抽出したダイヤル番号に従って接続処理を実施するステップとを含むことを特徴とする呼制御方法。
【００２０】
さらに、上述の課題を解決するために、本発明は、アクセス回線を終端するメディアゲートウェイと、電話番号及び端末の収容位置に関するデータを記憶するデータベース装置とにＩＰ電話網を介して接続された、緊急呼接続サービスを行う呼制御装置として機能するコンピュータに、（ａ）前記メディアゲートウェイからダイヤル番号及び加入者電話番号の情報を含むＩＰ形式の呼接続要求信号を受信し、該呼接続要求信号からダイヤル番号を抽出するステップと、（ｂ）前記抽出したダイヤル番号が緊急通報呼であるか否かの判別を行うステップと、（ｃ）前記ステップ（ｂ）で緊急呼であると判断した場合には、前記受信した加入者電話番号及びダイヤル番号の情報を含む接続先解決要求信号をデータベース装置に送信し、該データベース装置から、緊急通報呼の接続先番号を表す接続先裏番号の情報を含む接続先解決要求応答信号を受信して、前記接続先解決要求応答信号から接続先裏番号を抽出し、該接続先裏番号に従って接続処理を実施するステップと、（ｄ）前記ステップ（ｂ）で緊急通報呼ではないと判断した場合には、前記抽出したダイヤル番号に従って接続処理を実施するステップと、を実行させるためのプログラムとしても特徴付けられる。
【発明の効果】
【００２１】
本発明によれば、ＩＰ電話網において、緊急呼接続を可能し、かつ、通信事業者の設備運用コストを低減することができるようになる。
【図面の簡単な説明】
【００２２】
【図１】本発明によるシステムの構成図である。
【図２】本発明によるＭＧが記憶するテーブルについて説明する図である。
【図３】本発明によるＭＧＣの概略図である。
【図４】本発明によるデータベース装置が記憶するテーブルについて説明する図である。
【図５】本発明によるシステムの動作例を示すシーケンス図である。
【図６】本発明のシステムにおいて、ＭＧに別のエリアコードに属する加入者を新たに収容する場合について説明する図である。
【図７】本発明のシステムにおいて、ＭＧの呼処理能力がシステム許容値を上回りそうになった場合について説明する図である。
【図８】従来のＳＴＭ回線交換機の構成図である。
【図９】従来のＳＴＭ回線交換機において、別のエリアコードに属する加入者を新たに収容する場合について説明する図である。
【図１０】従来のＳＴＭ回線交換機において、呼処理能力がシステム許容値を上回りそうになった場合について説明する図である。
【発明を実施するための形態】
【００２３】
以下、実施例について、図面を参照して説明する。
【実施例１】
【００２４】
まず、本発明によるシステムの構成について、図１から図４を参照して説明する。
【００２５】
［システムの構成］
図１は、本発明による緊急呼接続システムの構成図である。本システムは、複数のＭＧと、複数のＭＧＣと、データベース装置１３と、電話網ＧＷ１４と、関門交換機１５とを備える。図１では一例として、ＭＧを４つ（ＭＧ１１＿１〜ＭＧ１１＿４）備え、ＭＧＣを２つ（ＭＧＣ１２＿１及びＭＧＣ１２＿２）備えている。以下の説明では、ＭＧについていずれのＭＧかを特定しない場合にはＭＧ１１と称し、ＭＧＣについていずれのＭＧＣかを特定しない場合にはＭＧＣ１２と称する。本システムは、複数のＭＧ１１、複数のＭＧＣ１２及びデータベース装置１３が、ＩＰ電話網を介して接続されている。
【００２６】
ＭＧ１１は、多数の端末（電話）１０が接続され、アクセス回線を終端（加入者を収容）する。ＭＧＣ１２は、端末の呼制御を行う。データベース装置１３は、電話番号及び端末の収容位置に関するデータを記憶する。電話網ＧＷ１４は、電話網とＩＰ電話網との間のデータの送受信やプロトコル変換を行う。関門交換機１５は、電話網とＩＰ電話網との接続を行う。
【００２７】
ＭＧ１１は、収容加入者の端末から呼接続要求信号を受信し、受信した呼接続要求信号からダイヤル番号及び収容位置番号を抽出する機能を有する。
【００２８】
図２は、ＭＧ１１が記憶するメディアゲートウェイテーブル２０である。テーブル２０は、収容位置番号と、ＭＧ１１が収容する加入者電話番号を対応付けたものである。ここで、収容位置番号とは、アクセス回線を収容する加入者回路装置の番号のことをいう。ＭＧ１１は、テーブル２０を参照し抽出した収容位置番号から対応する加入者電話番号を取得する機能を有する。そして、ＭＧＣ１２が認識可能なＩＰ形式の呼接続要求信号に変換し、ＭＧＣ１２へ送信する機能を有する。
【００２９】
図３に、ＭＧＣ１２の概略図を示す。ＭＧＣ１２は、ダイヤル番号抽出部１２１と、緊急呼判定部１２２と、データベースアクセス部１２３と、呼制御部１２４とを備える。
【００３０】
ダイヤル番号抽出部１２１は、ＭＧ１１からＩＰ形式の呼接続要求信号を受信し、該呼接続要求信号に含まれるダイヤル番号を抽出する機能を有する。
【００３１】
緊急呼判定部１２２は、ダイヤル番号抽出部１２１で抽出したダイヤル番号が、緊急呼であるか否かの判別を行う機能を有する。
【００３２】
データベースアクセス部１２３は、緊急呼判定部１２２で緊急通報呼であると判断した場合に、発信者の加入者電話番号とダイヤル番号（１１０，１１９）の情報を含む接続先解決要求信号をデータベース装置１３に送信する。そして、データベース装置１３から、接続先裏番号の情報を含む接続先解決要求応答信号を受信する機能を有する。
【００３３】
呼制御部１２４は、緊急呼判定部１２２で緊急通報呼であると判断した場合には、データベース装置１３から取得した接続先解決要求応答信号から接続先裏番号を抽出し、該接続先裏番号に従って接続処理を実施する。一方、緊急呼判定部１２２で緊急通報呼ではないと判断した場合には、ダイヤル番号抽出部１２１で抽出したダイヤル番号に従って接続処理を実施する機能を有する。
【００３４】
図４は、データベース装置１３が記憶するデータベーステーブルである。図４（ａ）に示すテーブル３１は、加入者電話番号と、ＭＧＩＤ及び収容位置番号を対応付けたものであり、各加入者（加入者電話番号）がどのＭＧ（ＭＧＩＤ）のどの加入者回路装置（収容位置番号）に収容されているかを示す。ここで、ＭＧＩＤとは、ＩＰ電話網上のどのＭＧ１１かを特定するＩＤのことをいう。加入者電話番号と、ＭＧＩＤ・収容位置番号とは、１対１に対応する。
【００３５】
図４（ｂ）に示すテーブル３２は、加入者（ＭＧＩＤ＋収容位置番号）ごとにエリアコードを対応付けたものであり、加入者が位置する住所（すなわち電話機が設置される住所）がどのエリアコードに属するかを示す。エリアコードは、例えば同一市内でも住所により所轄警察署、消防署が異なるケースが多々あることから、市町村ごとに付与されるコードではなく、同一市内で複数付与されたり、又は複数市町村にまたがり付与されたりするコードである。エリアコードは、当該事業者がＩＰ電話サービスを提供するエリア内にてユニークなコードである必要がある。
【００３６】
図４（ｃ）に示すテーブル３３は、エリアコードごとに１１０呼の接続先裏番号（０Ａ〜Ｊ番号）及び１１９呼の接続先裏番号（０Ａ〜Ｊ番号）を対応付けたものである。エリアコードは、緊急通報呼（１１０，１１９）それぞれの接続先が同一となる地域ごとに付与される。
【００３７】
データベース装置１３は、ＭＧＣ１２から接続先解決要求信号を受信すると、まず、接続先解決要求信号の中から、加入者電話番号とダイヤル番号を抽出する。そして、加入者電話番号を入力情報としてテーブル３１を参照し、対応するＭＧＩＤ及び収容位置番号を取得する。
【００３８】
続いて、取得したＭＧＩＤ及び収容位置番号を入力情報としてテーブル３２を参照し、対応するエリアコードを取得する。
【００３９】
その後、抽出したダイヤル番号と、取得したエリアコードを入力情報としてテーブル３３を参照し、対応する接続先裏番号を取得する。そして、該接続先裏番号を設定した接続先解決要求応答をＭＧＣ１２に返送する。
【００４０】
次に、システムの動作について図５を参照して説明する。
【００４１】
［システムの動作］
はじめに、本発明によるシステムの動作の概略を説明する。ＭＧ１１は、端末からの発呼に応じて、ダイヤル番号及び加入者電話番号の情報を含むＩＰ形式の呼接続要求信号をＭＧＣ１２へ送信し、ＭＧＣ１２は、受信した呼接続要求信号からダイヤル番号を抽出し、抽出したダイヤル番号が緊急通報呼であるか否かの判別を行い、緊急通報呼であると判断した場合には、受信した加入者電話番号及びダイヤル番号の情報を含む接続先解決要求信号をデータベース装置１３に送信し、データベース装置１３から、緊急通報呼の接続先番号を表す接続先裏番号の情報を含む接続先解決要求応答信号を受信して、接続先解決要求応答信号から接続先裏番号を抽出し、該接続先裏番号に従って接続処理を実施し、緊急通報呼でないと判断した場合には、抽出したダイヤル番号に従って接続処理を実施する。
【００４２】
以下、詳細に説明する。図５は、本発明によるシステムの動作例を示すシーケンス図である。まず、ステップＳ４０１にて、ＭＧ１１は、収容加入者の端末１０から呼接続要求信号を受信する。
【００４３】
ステップＳ４０２にて、ＭＧ１１は、テーブル２０を参照し、呼接続要求信号を受信した収容位置番号から加入者電話番号を抽出する。同時に、加入者からの呼接続要求信号からダイヤル番号を抽出する。図４の例では、収容位置番号は００００００２、加入者電話番号は０３−４４４４−ｙｙｙｙ、ダイヤル番号は１１９である。
【００４４】
ステップＳ４０３にて、ＭＧ１１は、受信した呼接続要求信号をＭＧＣ１２が認識可能なＩＰベースの呼接続要求信号に変換し、ＭＧＣ１２へ送信する。該信号には、ステップＳ４０２にて抽出した発信加入者電話番号及びダイヤル番号を設定する。
【００４５】
ステップＳ４０４にて、ＭＧＣ１２は、ダイヤル番号抽出部１２１により、受信した呼接続要求信号からダイヤル番号を抽出する。続いて、緊急呼判定部１２２により、緊急通報呼（１１０，１１９）であるか否かの判定を行う。
【００４６】
ステップＳ４０４で緊急通報呼であると判定した場合には、ステップＳ４０５以下の動作を行う。ステップＳ４０５にて、ＭＧＣ１２は、データベースアクセス部１２３により、データベース装置１３へ接続先解決要求信号を送信する。該信号には、加入者電話番号及びダイヤル番号を設定する。
【００４７】
ステップＳ４０６にて、データベース装置１３は、受信した接続先解決要求信号の中から加入者電話番号とダイヤル番号を抽出する。
【００４８】
ステップＳ４０７にて、データベース装置１３は、ステップＳ４０６で抽出した加入者電話番号を入力情報としてテーブル３１を参照し、発信加入者のＭＧＩＤ及び収容位置番号を取得する。図５の例では、ＭＧＩＤは０００１であり、収容位置番号は００００００２である。
【００４９】
ステップＳ４０８にて、データベース装置１３は、ステップＳ４０７にて取得したＭＧＩＤ及び収容位置番号を入力情報としてテーブル３２を参照し、発信加入者のエリアコードを取得する。図５の例では、エリアコードは０００１である。
【００５０】
ステップＳ４０９にて、データベース装置１３は、ステップＳ４０６にて抽出したダイヤル番号とステップＳ４０８にて取得した発信者のエリアコードを入力情報としてテーブル３３を参照し、接続先裏番号を取得する。図５の例では、接続先裏番号は０３−４４４４−０１１９である。
【００５１】
ステップＳ４１０にて、データベース装置１３は、ステップＳ４０９にて取得した接続先裏番号を設定した接続先解決要求応答信号をＭＧＣ１２に返送する。
【００５２】
ステップＳ４１１にて、ＭＧＣ１２は、呼制御部１２４により、受信した接続先要求応答信号に設定された接続先裏番号へ接続するため、接続先裏番号を収容するＭＧＣ１２へ発呼要求信号を送信し、接続要求処理を実施する。
【００５３】
ステップＳ４０４で緊急通報呼ではないと判定した場合には、データベース装置１３にアクセスせず、ＭＧＣ１２により、ステップＳ４０４で抽出したダイヤル番号へ接続するため、ステップＳ４０４で抽出されたダイヤル番号の加入者を収容するＭＧＣ１２へ発呼要求信号を送信し、接続要求処理を実施する。
【００５４】
ここで、ＭＧＣ１２として機能させるために、コンピュータを好適に用いることができ、そのようなコンピュータは、ダイヤル番号抽出部１２１と、緊急呼判定部１２２と、データベースアクセス部１２３と、呼制御部１２４とを機能させるための制御部を中央演算処理装置（ＣＰＵ）と、少なくとも１つのメモリで構成される記憶部で実現できる。
【００５５】
さらに、そのようなコンピュータに、ＣＰＵによって所定のプログラムを実行させることにより、ダイヤル番号抽出部１２１と、緊急呼判定部１２２と、データベースアクセス部１２３と、呼制御部１２４の有する機能を実現させることができる。さらに、ダイヤル番号抽出部１２１と、緊急呼判定部１２２と、データベースアクセス部１２３と、呼制御部１２４の有する機能を実現させるためのプログラムを、前述の記憶部（メモリ）の所定の領域に格納することができる。そのような記憶部は、コンピュータ内部のＲＡＭなどで構成させることができ、或いは又、外部記憶装置（例えば、ハードディスク）で構成させることもできる。また、そのようなプログラムは、ＭＧＣ１２としてのコンピュータで利用されるＯＳ上のソフトウェア（ＲＯＭ又は外部記憶装置に格納される）の一部で構成させることができる。
【００５６】
さらに、ＭＧＣ１２として機能させるコンピュータを、本発明の各構成要素としての手段として機能させるためのプログラムは、コンピュータ読取り可能な記録媒体に記録することができる。
【００５７】
本発明によれば、ＭＧ１１＿１が収容できる加入者数に余力がありながら、ＭＧＣ１２＿１の呼処理能力がシステム許容値を上回りそうになった場合には、図７に示すように、ＭＧ１１＿１を別のＭＧＣ１２＿２へ接続替えを行うのみで対応することができるようになる。本発明では、緊急呼接続に関わるデータはすべてデータベース装置１３に格納されており、かつ該データは、ＭＧ１１がどのＭＧＣ１２に接続されるかとは無関係であるため、ＭＧＣ１２の接続替えを行う場合に、緊急呼関連のデータ変更作業を一切行う必要がない。
【００５８】
また、本発明によれば、ＭＧＣ１２＿１に故障が発生した場合は、ＭＧＣ１２＿１に接続されるＭＧ１１＿１及びＭＧ１１＿２に収容される加入者に対するサービスは中断されるが、ＭＧＣ１２＿２に接続替えを行うことで、当該故障回復を待たず、サービス回復を図ることができるようになる。この場合も、ＭＧ１１とＭＧＣ１２の接続関係がデータベース装置１３に格納されるデータと無関係であるため、データ変更作業は不要であり、迅速なサービス回復が可能となる。
【００５９】
なお、従来のＳＴＭ回線交換機７０は、別のエリアＡＣ０００４に属する加入者を新たに収容しようとした場合、図９に示すように、テーブル７１１に対して新たに収容する加入者に関する情報の登録作業に加え、テーブル７１２に対して新たなＡＣに関する情報の登録作業が追加的に発生する。一方、ＭＧ１１＿１に、別のＡＣ０００４に属する加入者を新たに収容する場合は、図６に示すように、テーブル２０に、新規収容加入者に関する収容位置番号と電話番号を登録し、テーブル３１に新規収容加入者に関する加入者電話番号、ＭＧＩＤ及び収容位置番号、テーブル３２に新規収容加入者に関するＭＧＩＤ、収容位置番号及びエリアコードを登録する必要がある。しかし、テーブル３３には初期に全国すべてのエリア情報が設定されているため、登録する作業は必要とならない。
【００６０】
上述の実施例は、個々に代表的な例として説明したが、本発明の趣旨及び範囲内で、多くの変更及び置換ができ、更に、各実施例を組み合わせて別の実施例を実現することができることは当業者に明らかである。従って、本発明は、上述の実施例によって制限するものと解するべきではなく、特許請求の範囲から逸脱することなく、種々の変形や変更が可能である。
【００６１】
このように、本発明によれば、ＩＰ電話網において、緊急呼接続を可能し、かつ、通信事業者の設備運用コストを低減できるので、ＩＰ電話網において呼接続を行う任意の用途に有用である。
【符号の説明】
【００６２】
１０  端末
１１＿１〜１１＿４  ＭＧ
１２＿１、１２＿２  ＭＧＣ
１３  データベース装置
１４  電話網ＧＷ
１５  関門交換機
【図１】
2010272961.tif 000003
【図２】
2010272961.tif 000004
【図３】
2010272961.tif 000005
【図４】
2010272961.tif 000006
【図５】
2010272961.tif 000007
【図６】
2010272961.tif 000008
【図７】
2010272961.tif 000009
【図８】
2010272961.tif 000010
【図９】
2010272961.tif 000011
【図１０】
2010272961.tif 000012